(57)【要約】【課題】  復水器細管洗浄装置のボール捕集器のスクリーン本体とスクリーン軸とに相対角が発生しても洗浄用ボールを外部に流出させないことである。【解決手段】洗浄用ボールをスクリーンで捕集するボール捕集器１６のスクリーン軸端部に、スクリーンの閉動作完了状態でのスクリーン本体とスクリーン軸との相対角を検出する位置検出器２８を設け、インターロック回路３６は、位置検出器２８で検出された相対角が所定値を超えたとき、洗浄用ボールを復水器細管に循環させて復水器細管を洗浄する復水器細管洗浄装置１０を制御するシーケンスコントローラ３５に復水器細管の洗浄運転停止のインターロックをかける。これにより、洗浄用ボールが外部に流出することを防止する。【選択図】  図１
2009052821.tif 000002
【特許請求の範囲】
【請求項１】
復水器の冷却水母管に洗浄用ボールを投入し復水器細管を通った洗浄用ボールをボール捕集器で捕集しさらにボール回収器で回収してその回収した洗浄用ボールを再度前記冷却水母管に投入し前記洗浄用ボールを復水器細管に循環させて前記復水器細管を洗浄する復水器細管洗浄装置をシーケンス制御するシーケンスコントローラと、前記洗浄用ボールをスクリーンで捕集するボール捕集器の前記スクリーン軸端部に設けられ前記スクリーンの閉動作完了状態でのスクリーン本体とスクリーン軸との相対角を検出する検出器と、前記検出器で検出された相対角が所定値を超えたとき前記シーケンスコントローラに復水器細管の洗浄運転停止のインターロックをかけるインターロック回路とを備えたことを特徴とする復水器細管洗浄運転装置。
【発明の詳細な説明】
【技術分野】
【０００１】
本発明は、復水器細管を洗浄する復水器細管洗浄装置を運転する復水器細管洗浄運転装置に関する。
【背景技術】
【０００２】
火力発電プラントや原子力発電プラントにおいては、タービンで仕事を終えた蒸気を復水器で水に戻し、再び蒸気発生器であるボイラや原子炉に水を供給するようにしている。通常、復水器は海水を用いて蒸気を冷却するようになっており、海水は復水器の伝熱管（細管）に供給され蒸気と熱交換されるようになっている。
【０００３】
このように、復水器細管には海水が通過するので水垢や海水生成物が細管内壁に付着する。そこで、発電プラントの通常運転中に復水器細管に洗浄用ボールを投入し、この洗浄用ボールにより復水器細管を洗浄するようにしている。
【０００４】
図２は復水器細管洗浄装置を復水器に適用した場合の構成図である。冷却水である海水は取水口より冷却水母管１１に取り込まれ、復水器１２の復水器細管１３を通り排水口から海に戻される。復水器細管洗浄装置１０は、この冷却水母管１１に洗浄用ボール１４を投入し復水器細管１３を洗浄するものであり、復水器細管洗浄装置１０は、ボール回収器１５と、ボール捕集器１６と、ボール循環ポンプ１７とから構成される。
【０００５】
復水器細管洗浄装置１０は、図示省略のシーケンスコントローラで運転制御され、復水器細管１３の洗浄運転のときは、ボール回収器１５から洗浄用ボール１４を冷却水母管１１に投入し、冷却水である海水の流れに沿って復水器細管１３を通った洗浄用ボール１４をボール捕集器１６で捕集し、冷却水母管１１を流れる海水の一部とともにボール循環ポンプ１７によりボール回収器１５に回収する。そして、再びボール回収器１５から冷却水母管１１に投入し復水器細管１３を循環させる。
【０００６】
図３はボール捕集器１６での洗浄用ボール１４の捕集の仕方の説明図であり、図３（ａ）は洗浄用ボール１４で復水器細管１３を洗浄していないときのボール捕集器１６の説明図、図３（ｂ）は洗浄用ボール１４で復水器配管１３を洗浄しているときのボール捕集器１６の説明図である。
【０００７】
ボール捕集器１６は洗浄用ボール１４を捕集するための複数のスクリーン２２を有し、各々のスクリーン２２はスクリーン本体２３がスクリーン軸２４に取り付けられ、スクリーン軸２４を中心に回動するようになっている。また、スクリーン本体２３には、海水を通水できるように洗浄用ボールより小さいスリットが設けられている。洗浄用ボール１４で復水器配管１３を洗浄していないときは、洗浄用ボール１４が循環していないので、図３（ａ）に示すように、スクリーン２２は開いた状態とし海水の流れにほぼ平行に保ち、海水を下流に流れやすい状態としている。
【０００８】
一方、洗浄用ボール１４で復水器配管１３を洗浄しているときは、洗浄用ボール１４が循環しているので、図３（ｂ）に示すように、スクリーン２２は閉じた状態とする。この場合、海水はスクリーン本体２３のスリットを通り下流の排水口に流れるが、洗浄用ボール１４はスクリーン２２で捕集され、ボール回収口２５に導かれ、冷却水母管１１を流れる海水の一部とともにボール循環ポンプ１７によりボール回収器１５に回収される。
【０００９】
図３では４個のスクリーン２２を設け、スクリーン２２を閉じたときにＷ型となるものを示したが、図４に示すように、２個のスクリーン２２を設け、スクリーンを閉じたときにＶ型となるものもある。
【００１０】
ここで、復水器細管洗浄装置として、ボールを案内させる案内網を放水路における循環水の流れの下流方向に傾斜させてかつ上部を水面より出した状態で設置し、如何なる場合においても、海や河川にボールを流出させずにボールを回収して環境保全を図ると共に、リサイクルに寄与して経済性を高めるようにしたものがある（例えば、特許文献１参照）。
【特許文献１】特開平１０−１９７１９５号公報
【発明の開示】
【発明が解決しようとする課題】
【００１１】
しかし、復水器細管洗浄装置に流入してきた異物がボール捕集器１６に堆積し、スクリーン２２の開閉動作を繰り返し行った場合には、スリップ機構が働きスクリーン２２を閉動作させた場合であっても洗浄用ボール１４が回収不能となることがある。図５、図６に示すように、例えば、スクリーン２２の閉動作時に異物２６がスクリーン本体２３間に挟まった場合には、スクリーン２２を閉じる際、スクリーンのゆがみや破損をふさぐために設けらたスリップ機構が働き、スクリーン本体２３とスクリーン軸２４との間に相対角が生じる。その相対角が生じた結果として、スクリーン本体２３とスクリーン軸２４との相対角が保たれたままの状態となるので、次の動作の際に、スクリーン２２を閉動作完了させた状態であっても、スクリーン本体２３間の捕集位置に隙間ができる。その隙間が洗浄用ボール１４の大きさより大きい場合には洗浄用ボール１４が回収不能となり、洗浄用ボール１４は海に流出してしまう。
【００１２】
現状では、定期的にボール捕集器１６のスクリーン２２の位置をボール捕集器１６に備えられた確認用窓より目視で確認しており、スクリーン本体２３とスクリーン軸２４との間に相対角が生じた場合には、手動にて、スクリーン本体２３とスクリーン軸２４との間の相対角を調整し、スクリーン本体２３の位置を回収位置に戻すようにしている。しかし、スクリーン２２は汚れやすく見にくく、スクリーン２２間の隙間の定量的確認が困難であり、正確にスクリーン２２の位置の確認ができない状態にある。この結果、スクリーン２２が完全に閉じていない状態となる場合があり、洗浄用ボール１４を海に流出させてしまう。また、特許文献１のように、ボールを案内させる案内網を放水路に設置すれば洗浄用ボール１４を海に流出させることはないが、案内網を追加して設置しなければならない。
【００１３】
本発明の目的は、復水器細管洗浄装置のボール捕集器のスクリーン本体とスクリーン軸とに相対角が発生しても洗浄用ボールを外部に流出させない復水器細管洗浄運転装置を提供することである。
【課題を解決するための手段】
【００１４】
請求項１の発明に係わる復水器の細管洗浄運転装置は、復水器の冷却水母管に洗浄用ボールを投入し復水器細管を通った洗浄用ボールをボール捕集器で捕集しさらにボール回収器で回収してその回収した洗浄用ボールを再度前記冷却水母管に投入し前記洗浄用ボールを復水器細管に循環させて前記復水器細管を洗浄する復水器細管洗浄装置をシーケンス制御するシーケンスコントローラと、前記洗浄用ボールをスクリーンで捕集するボール捕集器の前記スクリーン軸端部に設けられ前記スクリーンの閉動作完了状態でのスクリーン本体とスクリーン軸との相対角を検出する検出器と、前記検出器で検出された相対角が所定値を超えたとき前記シーケンスコントローラに復水器細管の洗浄運転停止のインターロックをかけるインターロック回路とを備えたことを特徴とする。
【発明の効果】
【００１５】
本発明によれば、スクリーン軸端部に検出器を取り付けてスクリーン本体とスクリーン軸との相対角を検出するのでスクリーン間の隙間を正確に検出でき、スクリーン軸端部は海水に接触しないので検出器の故障の頻度を低く抑制できる。また、検出したスクリーン間の相対角が所定値を超えたとき復水器細管の洗浄運転停止のインターロックをかけるので、洗浄用ボールが外部に流出することを防止できる。
【発明を実施するための最良の形態】
【００１６】
図１は本発明の実施の形態に係わる復水器細管洗浄運転装置を復水器細管洗浄装置に適用したブロック構成図である。図１では復水器１２の図示を省略しているが、復水器１２に適用される復水器細管洗浄装置１０は、図２に示したように構成される。
【００１７】
シーケンスコントローラ３５は、復水器細管洗浄装置１０を運転制御するものであり、復水器細管の洗浄運転のときは、ボール回収器１５から洗浄用ボール１４を冷却水母管に投入し、復水器細管を通った洗浄用ボール１４をボール捕集器１６で捕集し、冷却水母管を流れる海水の一部とともにボール循環ポンプ１７によりボール回収器１５に回収し、その回収した洗浄用ボール１４を再度冷却水母管に投入し洗浄用ボール１４を復水器細管に循環させる運転を行う。また、洗浄運転を停止するときは、図２に示すバイパス系統のバイパス弁を開き、ボール回収器１５から洗浄用ボール１４を供給することを停止し、ボール回収器１５が洗浄用ボール１４を回収し終えたことを確認して、ボール回収器１５の入口弁及び出口弁を閉じる。
【００１８】
復水器細管洗浄装置１０のボール捕集器１６の内部は２つの領域に区分され、ボール捕集器１６の各々の領域には、図３に示すようにそれぞれ４個のスクリーン２２、または図４に示すようにそれぞれ２個のスクリーン２２が設けられている。なお、図１ではスクリーン２２の図示を省略している。
【００１９】
ボール捕集器１６の内部は２つの領域を有し、各々の領域ではそれぞれ４個のスクリーン２２を有していることから、ボール捕集器１６は８個のスクリーン２２を有し、各々のスクリーン２２のスクリーン軸２４にはスクリーン２２のスクリーン本体２３を回動させるためのモータ２７が設けられている。そして、スクリーン軸２４の軸端部には、スクリーン２２が閉動作を完了した状態でのスクリーン本体２３とスクリーン軸２４との相対角を検出する検出器２８がそれぞれ設けられている。
【００２０】
検出器２８は、スクリーン本体２３とスクリーン軸２４との間に生じた相対角を検出する。この相対角は、異物２６がスクリーン本体２３間に挟まった状態でスクリーン２２を閉じる際に、スクリーン軸２４と接続されたモータ２７に所定の値よりも大きな負荷が加わることによりモータ２７の故障を防止するために、スクリーン本体２３とスクリーン軸２４との間に設けたスリップ機構が働いた場合に発生する。
【００２１】
検出器２８での相対角の検出は、スクリーン２２の閉動作完了状態での角度初期値からのずれ角で検出する。すなわち、スクリーン２２の閉動作信号がモータ２７に与えられ、モータ２７の駆動によりスクリーン２２のスクリーン軸２４が閉動作を行い、スクリーン２２の閉動作完了状態を検出する図示省略の閉動作検知手段（例えば、リミットスイッチ）が動作したときの角度初期値からのずれ角で検出する。
【００２２】
角度初期値は、正常状態でのスクリーン本体２３とスクリーン軸２４との角度であり、正常状態でのスクリーン２２の閉動作完了状態で隣接するスクリーン２２との隙間が零となるときの角度である。
【００２３】
各々の検出器２８で検出された相対角は入力部２９を介してデータ処理部３０に入力される。データ処理部３０は入力された各々の検出器２８で検出された検出信号を処理して、出力部３１を介して表示装置３２に相対角を表示する。例えば、相対角を表しスクリーン２２間の隙間として表示装置３２に出力する。これにより、運転員等は、各々のスクリーン２２のスクリーン本体２３とスクリーン軸２４との相対角が一目で認識できるようになる。
【００２４】
また、データ処理部３０は検出した相対角が予め定めた所定値を超えているかどうかを判定し、所定値を超えているときは出力部３１を介して警報器３３に警報出力する。この場合の所定値は、洗浄用ボール１４がスクリーン２２間の隙間を通り抜ける大きさを考慮して設定される。例えば、スクリーン２２間の隙間が２０ｍｍを超えると洗浄用ボール１４がスクリーン２２間の隙間を通り抜けるときは、スクリーン２２間の隙間が１５ｍｍ±５ｍｍとなる相対角となったときに警報を出力するようにする。
【００２５】
また、この場合の警報はスクリーン２２ごとに個別に出力する。これにより、どのスクリーン２２が警報状態になっているかどうかが分かり、また、表示装置３２のスクリーン本体２３とスクリーン軸２４との相対角の値を参照することにより、どの程度の相対角が発生しているのかも容易に判断できる。また、スクリーン本体２３とスクリーン軸２４との相対角が所定値を超えているときは中央操作室３４あるいは図示省略の現場監視盤等に一括警報を出力する。
【００２６】
一方、データ処理部３０は検出した相対角が予め定めた所定値を超えているときは、出力部３１を介してインターロック回路３６にその旨を出力する。インターロック回路３６は、検出器２８で検出された相対角が所定値を超えたときは、シーケンスコントローラ３５に復水器細管の洗浄運転停止のインターロックをかける。
【００２７】
これにより、復水器細管洗浄装置１０が洗浄運転中のときは洗浄運転の停止となり、図２に示すバイパス系統のバイパス弁を開き、ボール回収器１５から洗浄用ボール１４を供給することを停止し、ボール回収器１５が洗浄用ボール１４を回収し終えたことを確認して、ボール回収器１５の入口弁及び出口弁を閉じる。また、復水器細管洗浄装置１０が洗浄運転の停止中であるときは、洗浄運転の開始がロックされる。従って、洗浄用ボール１４が外部に流出することを防止できる。
【００２８】
本発明の実施の形態の形態によれば、ボール捕集器１６のスクリーン軸２４の軸端部に直に検出器２８を取り付け、スクリーン本体とスクリーン軸との相対角を検出するので、スクリーン間の隙間を正確に検出できる。また、検出器２８で検出したスクリーン２２の隙間を表示装置３２に表示し、スクリーン２２の隙間の相対角が所定値を超えたときは警報を発生するので、ボール捕集器１６で洗浄用ボール１４を流出しないように適正な監視が行える。
【００２９】
また、検出したスクリーン間の相対角が所定値を超えたときは、復水器細管の洗浄運転停止のインターロックをかけるので、復水器細管洗浄装置１０が洗浄運転中のときは洗浄運転の停止となり、一方、復水器細管洗浄装置１０が洗浄運転の停止中であるときは、洗浄運転の開始がロックされて洗浄運転が阻止される。従って、洗浄用ボール１４が外部に流出することを防止できる。
【図面の簡単な説明】
【００３０】
【図１】本発明の実施の形態に係わる復水器細管洗浄運転装置を復水器細管洗浄装置に適用したブロック構成図。
【図２】復水器細管洗浄装置を復水器に適用した場合の構成図。
【図３】ボール捕集器（Ｗ型）での洗浄用ボールの捕集の仕方の説明図。
【図４】ボール捕集器（Ｖ型）での洗浄用ボールの捕集の仕方の説明図。
【図５】ボール捕集器（Ｗ型）のスクリーン間に異物が挟まった場合の状態を示す説明図。
【図６】ボール捕集器（Ｖ型）のスクリーン間に異物が挟まった場合の状態を示す説明図。
【符号の説明】
【００３１】
１０…復水器細管洗浄装置、１１…冷却水母管、１２…復水器、１３…復水器細管、１４…洗浄用ボール、１５…ボール回収器、１６…ボール捕集器、１７…ボール循環ポンプ、２２…スクリーン、２３…スクリーン本体、２４…スクリーン軸、２５…ボール回収口、２６…異物、２７…モータ、２８…検出器、２９…入力部、３０…データ処理部、３１…出力部、３２…表示装置、３３…警報器、３４…中央操作室、３５…シーケンスコントローラ、３６…インターロック回路
【図１】
2009052821.tif 000003
【図２】
2009052821.tif 000004
【図３】
2009052821.tif 000005
【図４】
2009052821.tif 000006
【図５】
2009052821.tif 000007
【図６】
2009052821.tif 000008